(57)【要約】【課題】エアフィルターを提供する。【解決手段】本エアフィルターは、飲料用板材で作られたフレームと、複数のプリーツを有する濾材と、１以上の補強バンドとを備える。補強バンドは、プリーツの少なくとも１つとかみ合う寸法の複数の歯を有する。【選択図】      図１
2008114222.tif 000002
【特許請求の範囲】
【請求項１】
飲料用板材を含むフレームと、
複数のプリーツを有する濾材と、
上記複数のプリーツの少なくとも１つとかみ合う寸法の複数の歯を有する１以上の補強バンドと、
を備えるエアフィルター。
【請求項２】
前記濾材がガラス繊維及び／又は紙を含む、請求項１記載のエアフィルター。
【請求項３】
前記飲料用板材がコート板紙を含む、請求項１記載のエアフィルター。
【請求項４】
前記飲料用板材が再利用可能な材料を含む、請求項１記載のエアフィルター。
【請求項５】
前記濾材がリサイクル可能な材料を含む、請求項１記載のエアフィルター。
【請求項６】
前記１以上の補強バンドがプラスチック又は金属を含む、請求項１記載のエアフィルター。
【請求項７】
さらに１以上の周囲補強バンドをさらに含む、請求項１記載のエアフィルター。
【請求項８】
前記１以上の周囲補強バンドがフレーム全体又は一部を囲む、請求項７記載のエアフィルター。
【請求項９】
前記１以上の周囲補強バンドがプラスチック又は金属を含む、請求項７記載のエアフィルター。
【請求項１０】
ガスタービンでエアフィルターを使用する方法であって、
濾材を飲料用板材フレーム内に取り付ける段階と、
内部に濾材を備える飲料用板材フレームをタービンの上流に配置する段階と、
１以上の補強バンドによって濾材を飲料用板材フレーム内に支持する段階と、
濾材を通してガスタービンに流れる空気から微粒子及び水分を濾過する段階と、
を含む方法。
【請求項１１】
前記支持段階が、１以上の周囲補強バンドによって飲料用板材フレームを支持する段階をさらに含む、請求項１０記載の方法。
【請求項１２】
ガスタービンで使用するためのエアフィルターであって、
飲料用板材を含むフレームと、
複数のプリーツを有する濾材と、
複数のプリーツの少なくとも１つとかみ合う寸法の複数の歯を有する１以上の補強バンドと、
フレーム全体又は一部を囲む１以上の周囲補強バンドと、
を備えるエアフィルター。
【請求項１３】
前記濾材がガラス繊維及び／又は紙を含む、請求項１２記載のエアフィルター。
【請求項１４】
前記飲料用板材がコート板紙を含む、請求項１２記載のエアフィルター。
【請求項１５】
前記飲料用板材が再利用可能な材料を含む、請求項１２記載のエアフィルター。
【請求項１６】
前記濾材がリサイクル可能な材料を含む、請求項１２記載のエアフィルター
【請求項１７】
前記１以上の補強バンドがプラスチック又は金属を含む、請求項１２記載のエアフィルター。
【請求項１８】
前記１以上の周囲補強バンドがプラスチック又は金属を含む、請求項１２記載のエアフィルター。
【発明の詳細な説明】
【技術分野】
【０００１】
本願は、広義にはガスタービンに関し、具体的には、高水分ガスタービン環境で使用するためのエアフィルターに関する。
【背景技術】
【０００２】
ガスタービンは一般に、空気圧縮機その他の部品用の吸気ダクト又はハウジングの上流で１以上のエアフィルターを使用して、作動される。エアフィルターは、内部濾材を支持するためのフィルターフレームを備える。廉価なフィルターフレームは、飲料用板材又は同様の材料から作ることができる。しかし、湿潤又は高湿度環境では、濾材及びフレームは使用中に飽和状態となるおそれがある。そのため、濾材は、飽和した材料の重量増を支持するためプラスチック又は金属フレーム内に保持するのが一般的である。或いは、フレームと濾材からなるフィルターアセンブリ全体を廃棄することもある。しかし、金属又はプラスチックフレームは一般に可燃性でなく、容易にリサイクルできるものでもない。さらに、かかる金属又はプラスチックフレームは公知の飲料用板材フレームよりも高価である。
【特許文献１】米国特許第６８７５２５０号明細書
【特許文献２】米国特許第７０９０７１３号明細書
【特許文献３】米国特許出願公開第２００３／０１７７７５５号明細書
【発明の開示】
【発明が解決しようとする課題】
【０００３】
そこで、多湿及び湿潤条件に適応することができる改良ガスタービン入口エアフィルターが望まれている。好ましくは、エアフィルターは全体として設置・使用が容易であり、既存のプラスチック又は金属フィルターフレームよりも低コストで、しかも全体的又は部分的にリサイクル及び／又は再利用できるものである。
【課題を解決するための手段】
【０００４】
本願では、エアフィルターについて開示する。本エアフィルターは、飲料用板材で作られたフレームと、複数のプリーツを有する濾材と、１以上の補強バンドとを備える。補強バンドは、プリーツの少なくとも１つとかみ合う寸法の複数の歯を有する。
【０００５】
濾材は、ガラス繊維及び／又は紙を含んでいてもよい。飲料用板材はコート板紙とすることができる。飲料用板材及び濾材はリサイクル可能なものとし得る。補強バンドは、プラスチック又は金属でよい。エアフィルターはさらに１以上の周囲補強バンドを含んでいてもよい。周囲補強バンドはフレーム全体又は一部を囲んでいてもよい。周囲補強バンドはプラスチック又は金属で作ることができる。
【０００６】
本願では、ガスタービンでエアフィルターを使用する方法についても開示する。本方法は、濾材を飲料用板材フレーム内に取り付ける段階と、内部に濾材を備える飲料用板材フレームをタービンの上流に配置する段階と、１以上の補強バンドによって濾材を飲料用板材フレーム内に支持する段階と、濾材を通してガスタービンに流れる空気から微粒子及び水分を濾過する段階とを含む。上記支持段階はさらに、１以上の周囲補強バンドによって飲料用板材フレームを支持する段階を含んでいてもよい。
【０００７】
本願では、ガスタービンで使用するためのエアフィルターについても開示する。本エアフィルターは、飲料用板材で作られたフレームと、複数のプリーツを有する濾材と、１以上の補強バンドと、フレーム全体又は一部を囲む１以上の周囲補強バンドとを備える。補強バンドはプリーツとかみ合う寸法の複数の歯を有する。
【０００８】
濾材はガラス繊維及び／又は紙で作ることができる。飲料用板材はコート板紙で作ることができる。飲料用板材及び濾材はリサイクル可能なものとし得る。補強バンド及び周囲補強バンドはプラスチック又は金属で作ることができる。
【０００９】
本願の上記その他の特徴は、添付の図面及び特許請求の範囲と併せて以下の詳細な説明を参照すれば当業者には明らかであろう。
【発明を実施するための最良の形態】
【００１０】
以下、図面を参照するが、図面を通して同じ符合は類似の構成要素を示す。図１は、本明細書に記載のエアフィルター１００を示す。ガスタービンに関してエアフィルター１００の用途を説明するが、エアフィルター１００は他の用途にも等しく応用できる。任意の数のエアフィルター１００を使用できる。エアフィルター１００は、ガスタービンの上流を流れる空気から微粒子及び水分を除去する。
【００１１】
エアフィルター１００は濾材１１０を含む。濾材１１０は一般にガラス繊維、紙（合成物又はブレンド）、これらの混合物及び同種のフィルター材料でよい。本発明では、あらゆる適当なタイプの材料を使用できる。濾材１１０はあらゆる所望の寸法又は形状のものでよい。この例では、濾材１１０は、その中に形成された複数のプリーツ１２０を有する。プリーツ１２０は、比較的大きな濾過面積を形成して、圧力降下を下げ、適切な空気流量を与える。
【００１２】
エアフィルター１００はさらにフレーム１３０を備える。フレーム１３０は、濾材１１０を囲んで支持する。フレーム１３０は、飲料用板材から作ることができる。「飲料用板材」という用語は、飲料業界で瓶又は缶に代えて常用されるコート厚紙又はコート板紙を意味する。飲料用板材は耐吸水性をもつようにコーティングされている。「飲料用板材」という用語は、段ボール紙などの比較的軽量で薄いが、実質的に剛性の材料も包含する。フレーム１３０の材料は飲料用板材の連続シートから打ち抜き、折り曲げて様々な折り返し及びパネルを作り、接着剤などで折り返し及びパネルを接合することによって構成することができる。様々なタイプのカートン製造装置が当技術分野で公知であり、本発明で使用できる。フレーム１３０はあらゆる所望の寸法又は形状のものでよい。
【００１３】
エアフィルター１００は１以上の補強バンド１４０も備える。補強バンド１４０は、フレーム１３０の開口面の片面又は両面に延在し得る。補強バンド１４０は、従来のプラスチック又は金属などの材料で作ることができる。補強バンド１４０はほとんど周囲条件で用いられるので、バンド１４０は極端な高温に耐える必要はない。補強バンド１４０は複数の歯１５０を有する。図２は、濾材１１０のプリーツ１２０に補強バンド１４０を挿入するところを示す。歯１５０は、濾材のプリーツ１２０に嵌合する寸法及び形状のものでよい。本発明では、任意の数の歯１５０を使用できる。補強バンド１４０は、エアフィルター１００全体を強化する働きをする。補強バンド１４０は、空気が流れるように有孔のもの又は多孔質のものとすることもできる。
【００１４】
使用中に、エアフィルター１００は、ガスタービンの吸気口又はハウジング１６０などに配置することができる。エアフィルター１００は、空気ハウジング１６０に従来と同様に取付ければよい。具体的には、フレーム１３０を、図３に示すように保持クリップ１７０などの接続手段によって空気ハウジングに取付けることができる。エアフィルター１００は、従来と同様水分及び微粒子物質を捕捉する。さらに大きな物体を捕捉するためエアフィルター１００の前面にスクリーン１８０を取付けてもよい。濾材１１０が湿潤及び／又は飽和すると、フレーム１３０と補強バンド１４０の組合せが濾材１１０を支持して、濾材１１０を適所に動作可能に保持する。同様に、補強バンド１４０の歯１５０は、プリーツ１２０同士を離隔して保持し、エアフィルター１００が全体として機能するように保つ。コート板紙を用いて飲料用板材を構成する場合、水分は一般にフレーム１３０から滴下する。
【００１５】
濾材１１０が飽和又は交換時期になると、濾材１１０をフレーム１３０から取り外すことができる。濾材１１０は廃棄してもよいし、従来法でリサイクルしてもよい。フレーム１３０に新しい濾材１１０を取り付けてもよい。フレーム１３０も空気ハウジング１６０から取り外してもよいし、或いは濾材１１０を交換する場合にはフレーム１３０を所定の位置に残しておいてもよい。フレーム１３０は、ある時点で交換が必要となろう。ただし、フレーム１３０の材料は再利用可能である。フレーム１３０は、飲料用板材などの材料の使用によって、プラスチック及び金属フレームに比べて格段に低コストである。従って、本明細書に開示したエアフィルター１００は、エアフィルターの選択及び交換に際してユーザーに多大な柔軟性を与える。
【００１６】
図４〜図６は、エアフィルター２００の本発明の別の実施形態を示す。エアフィルター２００は、上述のエアフィルター１００と同一であるが、１以上の周囲補強バンド２１０をさらに有する。周囲補強バンド２１０は、上述の補強バンド１４０と同じ材料で作ることができる。図５に示すように、周囲補強バンド２１０は、フレーム１３０の幾つかの側面に配置してもよいし、或いは図６に示すように、フレーム１３０の全側面に配置してもよい。周囲補強バンド２１０は、フレーム１３０の外周部その他の位置に配置できる。周囲補強バンド２１０は、フレーム１３０の形状保持及び濾材１１０を内側に支持するのにも役立つ。
【００１７】
以上の説明は本発明の好ましい実施形態に関するものであり、当業者であれば、特許請求の範囲に規定する本発明の技術的思想全体及び技術的範囲及びその均等の範囲内で様々な変更及び修正をなすことができる。
【図面の簡単な説明】
【００１８】
【図１】本発明のエアフィルターの斜視図。
【図２】図１のエアフィルターのフレームの歯の平面図。
【図３】ガスタービン入口ハウジングに配置された図１のエアフィルターの斜視図。
【図４】本発明のエアフィルターのフレームの別の実施形態を示す図。
【図５】図４のエアフィルターのフレームの別の実施形態を示す図。
【図６】図４のエアフィルターのフレームの別の実施形態を示す図。
【符号の説明】
【００１９】
１００  エアフィルター
１１０  濾材
１２０  プリーツ
１３０  フレーム
１４０  補強バンド
１５０  歯
１６０  ハウジング
１７０  保持クリップ
１８０  スクリーン
２００  エアフィルター
２１０  周囲補強バンド
【図１】
2008114222.tif 000003
【図２】
2008114222.tif 000004
【図３】
2008114222.tif 000005
【図４】
2008114222.tif 000006
【図５】
2008114222.tif 000007
【図６】
2008114222.tif 000008